(57)【要約】      （修正有）【課題】フェイスタオルの機能とボディタオルの機能を併せ持つひとつの浴用タオルで、肌触り感、吸水性、適度な刺激性および泡立ち感を実現できる多機能タオルを提供する。【解決手段】多機能タオル１は、浴室で身体を洗う際に使用されるボディタオル部３と、ボディタオル部３と比して肌への刺激が弱く吸水性が高いフェイスタオル部２とからなり、フェイスタオル部２の片面の全面若しくは所望の一領域、又はフェイスタオル部２の両面の所望の一領域に、ボディタオル部３を具備する。【選択図】図１
0003230302.tif 000002
【実用新案登録請求の範囲】
【請求項１】
浴室で身体を洗う際に使用されるボディタオル部と、前記ボディタオル部と比して肌への刺激が弱く吸水性が高いフェイスタオル部とからなり、前記フェイスタオル部の片面の全面若しくは所望の一領域、又は前記フェイスタオル部の両面の所望の一領域に、前記ボディタオル部が備えられたことを特徴とする多機能タオル。
【請求項２】
前記フェイスタオル部の片面の全面若しくは所望の一領域に前記ボディタオル部が重着されていることを特徴とする請求項１に記載の多機能タオル。
【請求項３】
前記一領域は前記フェイスタオル部の短手方向の略中央部に位置し、前記ボディタオル部の面積は前記フェイスタオル部の外形面積の略５０％以下であることを特徴とする請求項２に記載の多機能タオル。
【請求項４】
前記一領域は前記フェイスタオル部の長手方向に並行な略中心線であるｘ軸若しくは短手方向に並行な略中心線であるｙ軸に対して、前記ｘ軸を境界線として分割された何れか一方、又は前記ｙ軸を境界線として分割された何れか一方に位置することを特徴とする請求項２に記載の多機能タオル。
【請求項５】
前記一領域は前記フェイスタオル部の短手方向の略中央部に位置し、長手方向に前記フェイスタオル部の両端部近傍まで延伸されていることを特徴とする請求項２に記載の多機能タオル。
【請求項６】
前記フェイスタオル部と前記ボディタオル部の間にシート材を介在させたことを特徴とする請求項２から請求項５の何れかに記載の多機能タオル。
【請求項７】
前記フェイスタオル部はその所望の領域が切り抜かれて成る中空部を有し、前記中空部を塞ぐように前記ボディタオル部が固定されていることを特徴とする請求項１に記載の多機能タオル。
【請求項８】
前記中空部は前記フェイスタオル部の短手方向の略中央部に位置し、前記ボディタオル部の面積は前記フェイスタオル部の外形面積の略５０％以下であることを特徴とする請求項７に記載の多機能タオル。
【請求項９】
前記中空部は前記フェイスタオル部の長手方向に並行な略中心線であるｘ軸若しくは短手方向に並行な略中心線であるｙ軸に対して、前記ｘ軸を境界線として分割された何れか一方、又は前記ｙ軸を境界線として分割された何れか一方に位置することを特徴とする請求項７に記載の多機能タオル。
【請求項１０】
前記中空部は前記フェイスタオル部の短手方向の略中央部に位置し、長手方向に前記フェイスタオル部の両端部近傍まで延伸されていることを特徴とする請求項７に記載の多機能タオル。
【請求項１１】
前記フェイスタオル部の両面若しくは片面の一領域に備えられた前記ボディタオル部の位置および面積は、前記フェイスタオル部を折り畳むことで覆面可能に成されていることを特徴とする請求項１から請求項１０の何れかに記載の多機能タオル。
【考案の詳細な説明】
【技術分野】
【０００１】
本考案は、浴用タオルに関し、特に浴室で身体を洗う際に使用されるボディタオルの機能と、ボディタオルと比して肌への刺激が弱く吸水性が高いフェイスタオルの機能を併せ持つ多機能タオルに関する。
【背景技術】
【０００２】
従来の浴用タオルとしては、肌触り感や吸水性の良さを優先した綿、麻、あるいはマイクロファイバーなどの糸材をパイル織りなどにより成形したフェイスタオル（例えば、非特許文献１参照）があった。また、肌への適度な刺激性や泡立ち感の良さを優先したポリエステル等の合成繊維、綿、麻、あるいは絹などの糸材をもじり織りなどにより成形したボディタオル（例えば、非特許文献２参照）があった。
【先行技術文献】
【非特許文献】
【０００３】
【非特許文献１】SAKIDORI，“フェイスタオルのおすすめ12選”，［online］，平成31年３月22日，株式会社WILBY，［令和２年10月２日検索］，インターネット＜URL：https://sakidori.co/article/421930＞
【０００４】
【非特許文献２】SAKIDORI，“ボディタオルのおすすめ13選”，［online］，平成31年４月10日，株式会社WILBY，［令和２年10月２日検索］，インターネット＜URL：https://sakidori.co/article/426381＞
【考案の概要】
【考案が解決しようとする課題】
【０００５】
非特許文献１に係るフェイスタオルは肌触り感や吸水性に優れているため、利用者は心地よい柔らかさを感じながら身体を洗うことができる。また、利用者はフェイスタオルが吸水した水分を絞り取った後、フェイスタオルで身体に付着している水分を除去することができる。しかしながら、このようなフェイスタオルは肌への刺激が弱く、加えて泡立ち感も弱いため、洗浄効果が弱いか、少なくとも利用者が洗浄効果を実感することが難しいという問題があった。
【０００６】
非特許文献２に係るボディタオルは肌への適度な刺激性や泡立ち感に優れているため、利用者は適度に心地よい刺激を感じながら身体を洗うことができる。また、血行促進や洗浄効果が期待できる。しかしながら、このようなボディタオルは吸水性が乏しため、ボディタオルで身体に付着している水分を除去することが難しいという問題があった。
【０００７】
このように従来の浴用タオルは、利用者の嗜好に応じて、フェイスタオルおよびボディタオルを選択して使用あるいは使い分けしなければならず、迂遠であり利便性に乏しいという課題があった。
【０００８】
本考案は、上述のような課題を解決する為になされたものであり、フェイスタオルの機能とボディタオルの機能を併せ持つひとつの浴用タオルで、肌触り感、吸水性、適度な刺激性および泡立ち感を実現できる多機能タオルを得るものである。
【課題を解決するための手段】
【０００９】
請求項１に係る多機能タオルは、浴室で身体を洗う際に使用されるボディタオル部と、ボディタオル部と比して肌への刺激が弱く吸水性が高いフェイスタオル部とからなり、フェイスタオル部の片面の全面若しくは所望の一領域、又はフェイスタオル部の両面の所望の一領域に、ボディタオル部が備えられたものである。
【００１０】
請求項２に係る多機能タオルは、請求項１に係る多機能タオルにおいて、フェイスタオル部の片面の全面若しくは所望の一領域にボディタオル部が重着されているものである。
【００１１】
請求項３に係る多機能タオルは、請求項２に係る多機能タオルにおいて、一領域はフェイスタオル部の短手方向の略中央部に位置し、ボディタオル部の面積はフェイスタオル部の外形面積の略５０％以下であるものである。
【００１２】
請求項４に係る多機能タオルは、請求項２に係る多機能タオルにおいて、一領域はフェイスタオル部の長手方向に並行な略中心線であるｘ軸若しくは短手方向に並行な略中心線であるｙ軸に対して、ｘ軸を境界線として分割された何れか一方、又はｙ軸を境界線として分割された何れか一方に位置するものである。
【００１３】
請求項５に係る多機能タオルは、請求項２に係る多機能タオルにおいて、一領域はフェイスタオル部の短手方向の略中央部に位置し、長手方向にフェイスタオル部の両端部近傍まで延伸されているものである。
【００１４】
請求項６に係る多機能タオルは、請求項２から請求項５の何れかに係る多機能タオルにおいて、フェイスタオル部とボディタオル部の間にシート材を介在させたものである。
【００１５】
請求項７に係る多機能タオルは、請求項１に係る多機能タオルにおいて、フェイスタオル部はその所望の領域が切り抜かれて成る中空部を有し、中空部を塞ぐようにボディタオル部が固定されているものである。
【００１６】
請求項８に係る多機能タオルは、請求項７に係る多機能タオルにおいて、中空部はフェイスタオル部の短手方向の略中央部に位置し、ボディタオル部の面積はフェイスタオル部の外形面積の略５０％以下であるものである。
【００１７】
請求項９に係る多機能タオルは、請求項７に係る多機能タオルにおいて、中空部はフェイスタオル部の長手方向に並行な略中心線であるｘ軸若しくは短手方向に並行な略中心線であるｙ軸に対して、ｘ軸を境界線として分割された何れか一方、又はｙ軸を境界線として分割された何れか一方に位置するものである。
【００１８】
請求項１０に係る多機能タオルは、請求項７に係る多機能タオルにおいて、中空部はフェイスタオル部の短手方向の略中央部に位置し、長手方向にフェイスタオル部の両端部近傍まで延伸されているものである。
【００１９】
請求項１１に係る多機能タオルは、請求項１から請求項１０の何れかに係る多機能タオルにおいて、フェイスタオル部の両面若しくは片面の一領域に備えられたボディタオル部の位置および面積は、フェイスタオル部を折り畳むことで覆面可能に成されているものである。
【考案の効果】
【００２０】
請求項１に係る多機能タオルにおいては、フェイスタオルの機能とボディタオルの機能を併せ持つ多機能タオルを実現できるため、ひとつの浴用タオルで肌触り感、吸水性、適度な刺激性および泡立ち感を提供することができる。
【００２１】
請求項２に係る多機能タオルにおいては、フェイスタオル部の片面の全面若しくは所望の一領域にボディタオル部を備えているため、簡単な構成で多機能タオルを実現でき、加えて、利用者は容易に両面を使い分けることができることから、高い利便性を提供することができる。
【００２２】
請求項３に係る多機能タオルにおいては、フェイスタオル部の短手方向の略中央部に位置し、ボディタオル部の面積はフェイスタオル部の外形面積の略５０％以下であるため、フェイスタオル部の肌触り感および吸水性を十分に確保しつつ、利用者が適宜身体の所望な部分のみをボディタオル部で洗うことができることから、高い利便性を提供することができる。加えて、フェイスタオル部をボディタオル部の面側に折り畳む際、ボディタオル部をフェイスタオル部のみで覆面することができるため、ボディタオル部が重なり合って摺動してしまうことを防止できる。これにより、折り畳み状態を安定させることができ、高い利便性を提供することができる。
【００２３】
請求項４に係る多機能タオルにおいては、フェイスタオル部のｘ軸若しくはｙ軸に対して、何れか一方にボディタオル部を片寄せて位置させているため、利用者はフェイスタオル部とボディタオル部を明確に使い分けできることから、高い利便性を提供することができる。
【００２４】
請求項５に係る多機能タオルにおいては、ボディタオル部がフェイスタオル部の短手方向の略中央部であって、長手方向にフェイスタオル部の両端部近傍まで延伸されているため、特に背中などを洗う際には高い利便性を提供することができる。
【００２５】
請求項６に係る多機能タオルにおいては、フェイスタオル部とボディタオル部の間にシート材を介在させているため、フェイスタオル部によって阻害されることなく、ボディタオル部の高い泡立ち感を提供できる。
【００２６】
請求項７に係る多機能タオルにおいては、フェイスタオル部の両面にボディタオル部が露出しているため、利用者は裏表を意識することなく、使い分けることができることから、高い利便性を提供することができる。
【００２７】
請求項８に係る多機能タオルにおいては、請求項３に係る多機能タオルと同様の高い利便性を提供することができる。
【００２８】
請求項９に係る多機能タオルにおいては、請求項４に係る多機能タオルと同様の高い利便性を提供することができる。
【００２９】
請求項１０に係る多機能タオルにおいては、請求項５に係る多機能タオルと同様の高い利便性を提供することができる。
【００３０】
請求項１１に係る多機能タオルにおいては、フェイスタオル部を折り畳むことでボディタオル部を覆面できるため、利用者は身体を洗う際や身体の水分を除去する際に、ボディタオル部が身体に接触することを防止できることから、高い利便性を提供することができる。
【図面の簡単な説明】
【００３１】
【図１】第一の実施形態に係る多機能タオルの平面図である。
【図２】図１に示すＡ−Ａ断面図である。
【図３】第一の実施形態に係る多機能タオルを折り畳んだ状態を示す状態図である。
【図４】図１に示す状態から図３に示す状態に変形させる過程を示す説明図である。
【図５】第二の実施形態に係る多機能タオルの平面図である。
【図６】図５に示すＣ−Ｃ断面図である。
【図７】第二の実施形態に係る多機能タオルにおいて、フェイスタオル部にボディタオル部を固定する前の状態を示す状態図である。
【図８】第二の実施形態に係る多機能タオルを折り畳んだ状態を示す状態図である。
【図９】図５に示す状態から図８に示す状態に変形させる過程を示す説明図である。
【図１０】第三の実施形態に係る多機能タオルの平面図である。
【図１１】図１０に示すＨ−Ｈ断面図である。
【考案を実施するための形態】
【００３２】
以下、図面を用いて、本考案に係る多機能タオルの第一の実施形態について説明する。
【００３３】
図１は第一の実施形態に係る多機能タオルの平面図であり、図２は図１に示すＡ−Ａ断面図である。図３は多機能タオルを折り畳んだ状態を示す状態図である。図４は図１に示す状態から図３に示す状態に変形させる過程を示す説明図である。図において、１は多機能タオルである。２はフェイスタオル部であり、綿素材をパイル織りしたものである。３はボディタオル部であり、ポリエステル素材をもじり織りしたものである。なお、フェイスタオル部２およびボディタオル部３の素材や織り方はこれに限られるものではなく、公知のフェイスタオルおよびボディタオルの素材や織り方を適宜選択したものでも成り立つ。４はボディタオル部３をフェイスタオル部２の片面の所望の領域に縫着している糸（縫い目）である。なお、フェイスタオル部２にボディタオル部３を固定させる手段は縫着に限られるものではなく、接着や溶着など適宜選択した手段でも成り立つ。
【００３４】
第一の実施形態では、図１の通り、フェイスタオル部２の片面において、短手方向の略中央部であって、長手方向にフェイスタオル部２の両端部近傍まで延伸させてボディタオル部３を糸４で縫着している。そして、ボディタオル部３の面積はフェイスタオル部２の外形面積の３０％（約１／３）となっている。以下、フェイスタオル部２の外形面積に対するボディタオル部３の面積の比率をボディタオル面積比と称す。
【００３５】
以上の構成により、利用者は多機能タオル１を図１に示す状態で、適宜表面（図２に示すＦ側）および裏面（図２に示すＲ側）を使い分けることができる。
【００３６】
また、利用者は多機能タオル１を図４に示す矢印Ｂ方向に折り畳むことにより、ボディタオル部３をフェイスタオル部２で覆面して使用することができる。
【００３７】
このように、第一の実施形態に係る多機能タオル１は、簡単な構成のため、フェイスタオル部２が発揮する肌触り感、ボディタオル部３が発揮する吸水性、適度な刺激性および泡立ち感を有する浴用タオルを容易かつ安価に製造できる。
【００３８】
また、利用者は表面のフェイスタオル部２と裏面のボディタオル部３を容易に使い分けることができることから、高い利便性を感じることができる。
【００３９】
さらに利用者は、表面の全面および裏面の７０％（約２／３）はフェイスタオル部２となっていることから、肌触り感および吸水性を十分に感じることができ、他方、例えば背中、脚、腕など適度な刺激を求める部位については、ボディタオル部３を使用することができる。
【００４０】
この際、ボディタオル部３がフェイスタオル部２の短手方向の略中央部であって、長手方向にフェイスタオル部２の両端部近傍まで延伸されているため、特に背中などを洗う際には高い利便性を感じることができる。
【００４１】
さらに利用者は図３に示す状態で多機能タオル１を使用することにより、身体を洗う際や身体の水分を除去する際に、ボディタオル部３が身体に接触することを確実に防止し、無用な刺激を回避できる。
【００４２】
なお、第一の実施形態においてはボディタオル面積比を３０％（約１／３）としたが、これに制限されるものではない。
【００４３】
例えば、フェイスタオル部２の片面の略全面にボディタオル部３を縫着などにより固定しても良い（ボディタオル面積比は略１００％）し、ボディタオル面積比を例えば７０％、５０％、１０％など適宜変更しても成り立つ。
【００４４】
この場合、ボディタオル面積比が５０％（１／２）を超えれば、フェイスタオル部２を折り畳むことにより、フェイスタオル部２のみによってボディタオル部３を覆面することは困難になるが、上述した効果はなお実現できることは言うまでもない。もっとも、ボディタオル面積比を５０％（１／２）以下にすれば、フェイスタオル部２を図４に示す矢印Ｂ方向に折り畳む際、ボディタオル部３をフェイスタオル部２のみで覆面することができるため、ボディタオル部３が重なり合って摺動してしまうことを防止できる。これにより、折り畳み状態を安定させることができ、高い利便性を提供することができる。
【００４５】
次に、図面を用いて、本考案に係る多機能タオルの第二の実施形態について説明する。
【００４６】
図５は第二の実施形態に係る多機能タオルの平面図であり、図６は図５に示すＣ−Ｃ断面図である。図７はフェイスタオル部にボディタオル部を固定する前の状態を示す状態図である。図８は多機能タオルを折り畳んだ状態を示す状態図である。図９は図５に示す状態から図８に示す状態に変形させる過程を示す説明図である。図において、第一の実施形態と同一の用途および同一の機能を有する考案特定事項（考案の構成要件）については同一の符号を付している。図において、１１はフェイスタオル部２の長手方向に並行な略中心線であるｘ軸（図７参照）の上側半分（図７においてハッチングで示した領域Ｄ）にフェイスタオル部２を切り欠いて形成した中空部である。ボディタオル部３は図７に示す矢印Ｅ方向に載置され、糸４で縫着されている。１２はボディタオル部３をフェイスタオル部２に縫着する際の縫い代である。
【００４７】
以上の構成により、フェイスタオル部２のｘ軸に対して上側半分（領域Ｄ）にボディタオル部３を片寄せて位置させているため、利用者はフェイスタオル部２とボディタオル部３を明確に使い分けできる。
【００４８】
また、ボディタオル部３がフェイスタオル部２の両面に露出（図６参照）していることから、利用者は裏表を意識することなく、使い分けることができる。
【００４９】
また、ボディタオル部３が両面に露出している第二の実施形態に係る多機能タオル１において、フェイスタオル部２を矢印Ｇ方向（図９参照）に折り畳むことでボディタオル部３の片面を覆面できる（図８参照）ため、利用者は身体を洗う際や身体の水分を除去する際に、ボディタオル部３が身体に誤って接触してしまうことを抑制できる。
【００５０】
さらに、第一の実施形態に係る多機能タオルと異なり、フェイスタオル部２とボディタオル部３が重なり合う部分が存在しない、若しくは微小であることから、ゴワゴワ感が低減され、利用者が身体を洗ったり、水分を除去するために拭いたりする際に、より滑らかな使用感を得ることができる。
【００５１】
なお、第二の実施形態においては領域Ｄにボディタオル部３を固定したが、これに限られない。例えば、フェイスタオル部２の長手方向に並行な略中心線であるｙ軸（図７参照）の図中の右側半分ないし左側半分に固定しても良いし、第一の実施形態と同様の位置に固定しても良い。すなわち、ボディタオル部３の位置およびボディタオル面積比は適宜変更しても、第一の実施形態で言及した通り、構成に応じた効果を得ることは言うまでもない。また、縫い代１２を設けたが、これに限らず、中空部１１の面積と略同一面積のボディタオル部３を中空部１１に嵌合させて縫着などにより固定した構成も成り立つ。加えて、第一の実施形態において言及した各種変形例は第二の実施形態においても同様に成り立つことも言うまでもない。
【００５２】
次に、図面を用いて、本考案に係る多機能タオルの第三の実施形態について説明する。
【００５３】
図１０は第三の実施形態に係る多機能タオルの平面図であり、図１１は図１０に示すＨ−Ｈ断面図である。なお、図１１において、フェイスタオル部２とボディタオル部３は断面である旨のハッチングを省略しており、後述するシート材１０１のみ断面をハッチングで示している。図において、第一の実施形態および第二の実施形態と同一の用途および同一の機能を有する考案特定事項（考案の構成要件）については同一の符号を付している。
【００５４】
図１０の通り、ボディタオル部３はフェイスタオル部２の片面の略全面に重着されている。図１１において、１０１はフェイスタオル部２とボディタオル部３が直接接触しないように介在させた、フレキシブル性を有した変幻自在なシート材であり、具体的にはポリエステルシートであり、吸水性や透水性が乏しいものである。シート材１０１はフェイスタオル部２に縫着されているが、これに限られるものではなく、接着や溶着など適宜選択した手段でも成り立つ。また、ボディタオル部３に縫着等されていても良い。
【００５５】
以上の構成により、フェイスタオル部２が有する吸水性をシート材１０１で遮断することができるため、ボディタオル部３が有する高い泡立ち感を確保できる。
【００５６】
なお、第三の実施形態においてはシート材１０１にポリエステルシートを用いたがこれに限らない。フェイスタオル部が有する吸水性を遮断ないし抑制できる程度に吸水性や透水性が乏しい素材であれば成り立つ。
【００５７】
また、ボディタオル部３の位置およびボディタオル面積比は適宜変更しても、第一の実施形態で言及した通り、構成に応じた効果を得ることは言うまでもない。加えて、第一の実施形態において言及した各種変形例は第三の実施形態においても同様に成り立つことも言うまでもない。
【符号の説明】
【００５８】
１        多機能タオル
２        フェイスタオル部
３        ボディタオル部
４        糸（縫い目）
１１      中空部
１２      縫い代
１０１    シート材
【図１】
0003230302.tif 000003
【図２】
0003230302.tif 000004
【図３】
0003230302.tif 000005
【図４】
0003230302.tif 000006
【図５】
0003230302.tif 000007
【図６】
0003230302.tif 000008
【図７】
0003230302.tif 000009
【図８】
0003230302.tif 000010
【図９】
0003230302.tif 000011
【図１０】
0003230302.tif 000012
【図１１】
0003230302.tif 000013